(57)【要約】【課題】ケースと回路基板との正確な位置にキー釦を簡単に組み込める。【解決手段】機器ケース２内に組み付けられて回路基板７のスイッチ部８をキー操作に応じて押圧するキー釦２０であって、機器ケース２の取付溝部２１に先端の回動支点部２２が挿入して取り付けられる取付部２３と、機器ケース２の釦孔４に挿入する釦部２４と、この釦部２４に設けられた押圧部２６と、取付部２３に釦部２４を弾性変形可能に連結する連結部２５とで構成した。従って、機器ケース２の釦孔４に釦部２４を挿入させ、且つ機器ケース２の取付溝部２１に取付部２３の回動支点部２２を挿入し、この状態で押圧部２６にスイッチ部８を対応させて回路基板７を取付部２３に押し付けると、取付部２３がその先端の回動支点部２２を中心に回動し、キー釦２０を自動的に位置調節して機器ケース２と回路基板７とに対する正確な位置に簡単に且つ容易に組み付けることができる。【選択図】　　　　図１
2004039324.tif 000002
【特許請求の範囲】
【請求項１】
ケース内にキー操作可能に取り付けられて前記ケース内に設けられた回路基板のスイッチ部をキー操作に応じて押圧するキー釦であって、
前記ケースの内面に設けられた取付溝部に先端の回動支点部が挿入して取り付けられる取付部と、
前記ケースに設けられた釦孔に前記ケースの内側から挿入して一部が前記ケースの外部に突出する釦部と、
この釦部における前記回路基板の前記スイッチ部と対応する個所に設けられた押圧部と、
前記取付部に前記釦部を前記釦孔の出没方向に変位可能に連結する連結部と
を備えたことを特徴とするキー釦。
【請求項２】
前記釦部の外周面には、前記釦部を前記釦孔内の所定位置にガイドするガイド部が設けられていることを特徴とする請求項１に記載のキー釦。
【請求項３】
前記取付部には、前記回路基板を位置決めする位置決め部が設けられていることを特徴とする請求項１または２に記載のキー釦。
【請求項４】
前記連結部は２つの弾性片を並列に形成した構成であることを特徴とする請求項１〜３のいずれかに記載のキー釦。
【請求項５】
前記釦部には、前記回路基板に対する前記押圧部の接近位置を規制するストッパ部が設けられていることを特徴とする請求項１〜４のいずれかに記載のキー釦。
【請求項６】
前記取付部には補強リブが設けられていることを特徴とする請求項１〜５のいずれかに記載のキー釦。
【発明の詳細な説明】
【０００１】
【発明の属する技術分野】
この発明は、キーボードなどのキー入力装置に用いられるキー釦に関する。
【０００２】
【従来の技術】
従来、キーボードなどのキー入力装置においては、機器ケースの釦孔からキー釦の釦部を外部に突出させた状態で、キー釦を機器ケース内にキー操作可能に取り付け、このキー釦の釦部を外部から押圧するキー操作により、キー釦の下側に配置された回路基板のスイッチ部をキー釦の押圧部で押圧してスイッチ信号を出力するように構成されたものがある。
【０００３】
図５および図６はその一例を示した図である。このキー入力装置のキー釦１は、機器ケース２内に取り付けられる平板状の取付部３と、機器ケース２に設けられた釦孔４に挿入する釦部５と、この釦部５を取付部３に釦孔４の出没方向に変位可能に連結する弾性変形可能な連結部６と、釦部５の下面に設けられて機器ケース２内に配置された回路基板７のスイッチ部８を押圧する押圧部９とを備え、これらが合成樹脂によって一体に成形されている。この場合、機器ケース２の内面には、キー釦２の取付部３を取り付けるための帯板状の取付凸部１０が設けられている。この取付凸部１０には、キー釦１の取付部３に設けられたボス孔１１に挿入する溶着ボス１２が設けられている。また、この取付凸部１０には、回路基板７をビス止めするための取付ボス１３が設けられている。
【０００４】
このようなキー釦１を機器ケース２内に組み付ける場合には、まず、キー釦１の釦部５を機器ケース２の内側から機器ケース２の釦孔４に挿入させて釦部５の一部を釦孔４から機器ケース２の外部に突出させると共に、キー釦１の取付部３に設けられたボス孔１１に機器ケース２の取付凸部１０に設けられた溶着ボス１２を挿入させる。この状態で、キー釦１を機器ケース２に対し位置決めした後、溶着ボス１２を溶融させてキー釦１の取付部３を機器ケース２の取付凸部１０に固定する。これにより、キー釦１が機器ケース２内に取り付けられる。この後、回路基板７をキー釦１の下側に配置してキー釦１の押圧部９に回路基板７のスイッチ部８を対応させ、この状態で回路基板７を機器ケース２の取付凸部１０に設けられた取付ボス１３にビス１４によってビス止めする。これにより、回路基板７が機器ケース２内に取り付けられる。
【０００５】
このように組み付けられたキー釦１は、機器ケース２の釦孔４から外部に突出した釦部５の一部を機器ケース２の外部から押圧すると、これに伴って連結部６が弾性変形し、釦部５の下面に設けられた押圧部９が回路基板７に設けられたスイッチ部８を押圧するので、スイッチ部８がオンしてスイッチ信号を出力する。また、このキー釦１は、釦部５から外力が取り除かれると、連結部６が弾性復帰することにより、押圧部９がスイッチ部８から離れてスイッチ部８がオフになると共に、釦部５の上端部分が機器ケース２の釦孔４から外部に突出して釦部５が元の位置（初期位置）に戻る。
【０００６】
【発明が解決しようとする課題】
しかしながら、このようなキー釦１では、釦部５を機器ケース２の釦孔４に挿入させると共に、取付部３のボス孔１１に機器ケース２の取付凸部１０に設けられた溶着ボス１２を挿入させて位置決めし、この状態で溶着ボス１２を溶融させて取付部３を機器ケース２の取付凸部１０に位置ずれしないように溶着しなければならないため、キー釦１の位置決め作業および溶着作業が面倒で、取付作業に時間がかかるという問題がある。
【０００７】
特に、このキー釦１においては、機器ケース２の釦孔４にキー釦１の釦部５を挿入させて位置決めするときに、機器ケース２の釦孔４の中心と釦部５の中心とを一致させると共に、釦孔４の内周縁と釦部５の外周縁との隙間が均一な状態になるように位置決めしなければならず、しかもこの状態で溶着ボス１２を溶融させてキー釦１の取付部３を機器ケース２の取付凸部１０に固定させる必要があるため、キー釦１の取付作業がきわめて面倒で、手間がかかる。
【０００８】
また、このキー釦１では、機器ケース２の取付凸部１０にキー釦１の取付部３を取り付けた後に、回路基板７を機器ケース２の取付凸部１０に設けられた取付ボス１３にビス１４によってビス止めしているため、機器ケース２に対して回路基板７を正確な位置に取り付けることはできるが、キー釦１が回路基板７と別に機器ケース２に取り付けられているので、回路基板７をキー釦１に対する正確な位置に取り付けることが難しく、回路基板７のスイッチ部８がキー釦１の押圧部９に対して位置ずれすることがあり、このため良好なスイッチ操作ができなくなるという問題も生じる。
【０００９】
この発明の課題は、ケースと回路基板との両方に対する正確な位置にキー釦を簡単に且つ容易に組み付けることができるようにすることである。
【００１０】
【課題を解決するための手段】
請求項１に記載の発明は、ケース内にキー操作可能に取り付けられて前記ケース内に設けられた回路基板のスイッチ部をキー操作に応じて押圧するキー釦であって、前記ケースの内面に設けられた取付溝部に先端の回動支点部が挿入して取り付けられる取付部と、前記ケースに設けられた釦孔に前記ケースの内側から挿入して一部が前記ケースの外部に突出する釦部と、この釦部における前記回路基板の前記スイッチ部と対応する個所に設けられた押圧部と、前記取付部に前記釦部を前記釦孔の出没方向に変位可能に連結する連結部とを備えたことを特徴とするキー釦である。
【００１１】
この発明によれば、ケースの釦孔に釦部を挿入すると共に、ケースの取付溝部に取付部の回動支点部を挿入し、この状態で釦部に設けられた押圧部に回路基板のスイッチ部を対応させて回路基板を取付部に押し付けると、取付部がケースと回路基板との間に挟まれると共に、取付溝部に挿入された取付部の回動支点部を中心に取付部が回動し、その取付部の傾きがケースと回路基板とによって規制されてキー釦が自動的に位置調節されるので、回路基板の組み付け時にキー釦をケースに対する所定位置に取り付けることができ、これによりキー釦をケースと回路基板との両方に対する正確な位置に簡単に且つ容易に組み付けることができる。
【００１２】
請求項２に記載の発明は、前記釦部の外周面に、前記釦部を前記釦孔内の所定位置にガイドするガイド部が設けられていることを特徴とする請求項１に記載のキー釦である。
この発明によれば、釦部をケースの釦孔に挿入するときに、ガイド部によって釦部がケースの釦孔内の所定位置にガイドされるので、釦部をケースの釦孔に挿入するだけで、釦部を釦孔の正確な位置に配置することができ、これにより釦部の中心と釦孔の中心とを一致させることができると共に、釦部の外周縁と釦孔の内周縁との隙間を均一な状態にすることができる。
【００１３】
請求項３に記載の発明は、前記取付部に前記回路基板を位置決めする位置決め部が設けられていることを特徴とする請求項１または２に記載のキー釦である。この発明によれば、回路基板を取付部に押し付けて取付部をケースの取付溝部に取り付けるときに、これと同時に取付部に設けられた位置決め部によって回路基板がキー釦に対し位置規制されるので、キー釦の押圧部と回路基板のスイッチ部とを位置ずれすることなく正確に対応させることができる。
【００１４】
請求項４に記載の発明は、前記連結部が２つの弾性片を並列に形成した構成であることを特徴とする請求項１〜３のいずれかに記載のキー釦である。
この発明によれば、釦部の押圧操作に伴って連結部の２つの弾性片が釦孔の出没方向に弾性変形するときに、２つの弾性片が並列に形成されていることにより、連結部の捩じれを抑制することができ、これにより釦部の押圧時における釦部の傾きを防ぐことができると共に、押圧部の傾きをも防ぐことができ、このため釦部を釦孔の出没方向に円滑に変位させることができると共に、押圧部でスイッチ部を良好に押圧することができる。
【００１５】
請求項５に記載の発明は、前記釦部に、前記回路基板に対する前記押圧部の接近位置を規制するストッパ部が設けられていることを特徴とする請求項１〜４のいずれかに記載のキー釦である。
この発明によれば、釦部が押されて押圧部がスイッチ部を押圧するときに、釦部が強い力で押圧されても、ストッパ部が回路基板に当接するので、押圧部がスイッチ部を必要以上の強い力で押圧することがないばかりか、連結部にも必要以上の強い応力が加わらないため、スイッチ部および連結部の破損を防ぐことができ、耐久性の向上をも図ることができる。
【００１６】
請求項６に記載の発明は、前記取付部に補強リブが設けられていることを特徴とする請求項１〜５のいずれかに記載のキー釦である。
この発明によれば、補強リブによって取付部の強度を高めることができ、これにより取付部の破損を防ぐことができると共に、取付部をケースの取付溝部に強固に取り付けることができる。
【００１７】
【発明の実施の形態】
以下、図１〜図４を参照して、この発明のキー釦を用いたキー入力装置の一実施形態について説明する。なお、図５および図６に示された従来例と同一部分には同一符号を付して説明する。
このキー入力装置は、図１および図２に示すように、機器ケース２内にキー釦２０を回路基板７と共に組み付けるように構成されている。
【００１８】
すなわち、このキー釦２０は、機器ケース２の内面に設けられた取付溝部２１に先端の回動支点部２２が挿入して取り付けられる取付部２３と、機器ケース２に設けられた長方形状の釦孔４に機器ケース２の内側（図１では下側）から挿入して上端部分が外部上方に突出する釦部２４と、この釦部２４を取付部２３に釦孔４の出没方向（図１では上下方向）に変位可能に連結する連結部２５と、釦部２４の下面に設けられて回路基板７のスイッチ部８を押圧する押圧部２６とを備え、これらがＡＢＳ樹脂などの合成樹脂によって一体に成形されている。
【００１９】
この場合、機器ケース２の取付溝部２１は、図１に示すように、互いに対向する一対の壁部２１ａ、２１ｂ間にほぼ逆Ｖ字状の溝２１ｃを形成した構造で、機器ケース２に設けられた釦孔４の近傍（同図では右側）に位置する機器ケース２の内面に一体に形成されている。すなわち、この取付溝部２１は、釦孔４側（同図では左側）に位置する壁部２１ａの内面が傾斜面に形成され、これと反対側（同図では右側）に位置する壁部２１ｂの内面がほぼ垂直面に形成され、これにより溝２１ｃがその上部側から下部側に向かって次第に広くなるほぼ逆Ｖ字状に形成されている。また、この取付溝部２１は、釦孔４側の壁部２１ａがこれと反対側の壁部２１ｂよりも短く形成され、且つ溝２１ｃの底部（同図では上端部）が半円形状に形成された構造になっている。
【００２０】
この取付溝部２１に取り付けられるキー釦２０の取付部２３は、図１および図２に示すように、取付溝部２１の下端部に配置される平坦部２７と、この平坦部２７上に設けられて取付溝部２１の溝２１ｃ内に挿入する挿入部２８と、平坦部２７上に設けられて取付溝部２１の傾斜面側の壁部２１ａを挿入部２８との間に挟んで保持する保持部２９とで構成されている。この場合、挿入部２８は取付溝部２１の垂直面側の壁部２１ｂとほぼ同じ高さに形成されており、この挿入部２８の上端部には、ほぼ半円形状の回動支点部２２が形成されている。この回動支点部２２は、取付溝部２１の溝２１ｃ内における上端部の半円形部分に回動可能な状態で挿入されるように構成されている。また、保持部２９は、挿入部２８の半分程度の高さに形成され、取付溝部２１の傾斜面側の壁部２１ａにおける上部側の外面に当接するように構成されている。
【００２１】
一方、キー釦２０の釦部２４は、図１〜図４に示すように、機器ケース２の釦孔４に挿入する長方形状のほぼ直方体に形成されており、その下部外周には、鍔部３０が釦孔４よりも大きく形成されている。また、この釦部２４の外周面における左右の両側面（図３では上下の両側面）には、図４に示すように、ガイド部３１が設けられている。このガイド部３１は、上部側から下部側に向かって外形が次第に大きくなる傾斜面に形成され、釦部２４が機器ケース２の釦孔４に下側から挿入する際に、ガイド部３１の傾斜面に沿って釦孔４の下部内周縁が相対的に摺動することにより、釦部２４を釦孔４内の所定位置（図４では左右方向の所定位置）にガイドするように構成されている。この場合、釦部２４は、図１に示すように、その前後方向（同図では左右方向）に位置する外側面が釦孔４の内面に直接ガイドされて位置規制されるように構成されている。
【００２２】
また、この釦部２４を取付部２３に連結する連結部２５は、図１および図３に示すように、２つの弾性片３２からなり、これら弾性片３２が釦部２４の鍔部３０と取付部２３の傾斜面側の壁部２１ａとの間に並列に形成された構成になっている。この場合、各弾性片３２は、その肉厚が釦部２４の鍔部３０よりも薄い板状に形成され、これにより釦部２４の押圧操作に応じて上下方向に弾性変形（撓み変形）し、釦部２４を釦孔４の出没方向（図１では上下方向）に変位させるように構成されている。すなわち、各弾性片３２は、釦部２４が外部から押圧されたときに、下側に向けて弾性変形して釦部２４を下方に変位させ、また釦部２４から外力が取り除かれると、弾性復帰して釦部２４を上方に変位させて初期位置に戻すように構成されている。
【００２３】
さらに、キー釦２０の押圧部２６は、図１に示すように、回路基板７上のスイッチ部８を押圧するためのものであり、釦部２４の下面における中心部から連結部２５と反対側（同図では左側）にずれた位置に十字状に形成されている。この押圧部２６の両側（図３では上下の両側）に位置する釦部２４の下面には、一対のストッパ部３３が設けられている。これら一対のストッパ部３３は、その下側に配置された回路基板７に対する押圧部２６の接近位置を規制するものであり、押圧部２６の下面よりも下側に突出し、その突出長さが回路基板７に設けられたスイッチ部８の高さよりも少し短く形成され、これにより押圧部２６がスイッチ部８を押圧してオンさせた後、回路基板７の上面に当接するように構成されている。
【００２４】
ところで、キー釦２０の取付部２３における平坦部２７の下面には、図１に示すように、位置決め突起３４が下方に突出して形成されている。この位置決め突起３４は、キー釦２０の取付部２３が機器ケース２の取付溝部２１に取り付けられるときに、回路基板７に設けられた嵌合孔３５に挿入することにより、回路基板７をキー釦２０に対して位置決めするように構成されている。また、取付部２３の傾斜面側の壁部２１ａにおける外面には、図１および図３に示すように、補強リブ３６が、連結部２５の２つの弾性片３２に接触することなく、これら弾性片３２間に位置した状態で上下方向に沿って形成されている。
【００２５】
また、このキー釦２０は、図２および図３に示すように、隣接するキー釦２０同士と相互に連結されて形成されている。すなわち、互いに隣接するキー釦２０同士は、その挿入部２８および保持部２９がこれに隣接するキー釦２０の挿入部２８および保持部２９と連続して形成されている。これにより、複数のキー釦２０が、その配列方向に沿って順次連結されている。なお、この実施形態では、隣接するキー釦２０の挿入部２８同士と保持部２９同士とを連結したが、これに限らず、キー釦２４の平坦部２７同士のみを連結した構造でも良い。
【００２６】
次に、このようなキー釦２０を機器ケース２内に組み込む場合について説明する。この場合には、まず、機器ケース２の釦孔４にキー釦２０の釦部２４を機器ケース２の内側（図１では下側）から挿入すると共に、機器ケース２の取付溝部２１にキー釦２０の取付部２３を対応させ、この状態で取付部２３の挿入部２８を取付溝部２１の溝２１ｃ内に挿入する。このときには、取付溝部２１の溝２１ｃが、その上部側から下部側に向かって次第に広くなるほぼ逆Ｖ字状に形成されているので、挿入部２８を取付溝部２１の溝２１ｃ内に容易に挿入させて取付溝部２１の上端部の半円形部分に回動支点部２２を挿入させることができる。
【００２７】
また、このときには、取付溝部２１の傾斜面側の壁部２１ａが反対側の壁部２１ｂよりも短く形成され、且つ取付部２３の保持部２９が挿入部２８よりも低く形成されているので、取付部２３の挿入部２８を機器ケース２に対し垂直に挿入する必要はなく、図１に点線で示すように、少し傾けた状態で挿入して、釦部２４を水平な状態よりも少し前上がり（同図では左上がり）に傾けて配置することができる。このため、挿入部２８を取付溝部２１の溝２１ｃ内に、より一層、容易に挿入することができ、これにより取付溝部２１の上端部の半円形部分に回動支点部２２を確実に挿入させることができると共に、取付部２３の挿入部２８と保持部２９との間に取付溝部２１の傾斜面側の壁部２１ａを容易に挿入させることができる。
【００２８】
この後、キー釦２０の下側に回路基板７を配置し、この回路基板７のスイッチ部８をキー釦２０の押圧部２６に対応させると共に、回路基板７の嵌合孔３５をキー釦２０の取付部２３に設けられた位置決め突起３４に対応させ、この状態で回路基板７をキー釦２０の取付部２３の平坦部２７に押し付ける。すると、キー釦２０の位置決め突起３４が回路基板７の嵌合孔３５に嵌合して、回路基板７がキー釦２０に対して位置決めされる。また、このときには、キー釦２０の取付部２３が機器ケース２と回路基板７との間に挟まれると共に、取付部２３の挿入部２８がその先端の回動支点部２２を中心に回動し、図１に実線で示すように、取付部２３の挿入部２８が取付溝部２１の垂直な壁部２１ｂに密着して位置規制される。これにより、キー釦２０が自動的に位置調節されて機器ケース２と回路基板７との両方に対し正確な位置に組み付けられる。
【００２９】
このように、このキー釦２０によれば、機器ケース２の釦孔４にキー釦２０の釦部２４を挿入させ、且つ機器ケース２の取付溝部２１の溝２１ｃ内にキー釦２０の取付部２３の挿入部２８を回動支点部２２と共に挿入させ、この状態で取付部２３の平坦部２７に回路基板７を押し付けることにより、キー釦２０の位置決め突起３４によって回路基板７をキー釦２０に対し位置決めするのと同時に、キー釦２０を自動的に位置規制して機器ケース２と回路基板７との両方に対する正確な位置に組み付けることができるので、組み付け作業が簡単で且つ容易にできると共に、機器ケース２内にキー釦２０と回路基板７とを同時に組み付けることができるので、組み付け作業の向上を図ることができる。特に、隣接するキー釦２０同士が連続して形成されているので、複数のキー釦２０を一度に組み付けることができ、これによっても組み付け作業の向上が図れる。
【００３０】
この場合、キー釦２０の釦部２４の外周面にガイド部３１が形成されているので、釦部２４を機器ケース２の釦孔４に挿入するときに、図４に示すように、釦部２４のガイド部３１によって釦部２４を機器ケース２の釦孔４内の所定位置にガイドすることができ、このため釦部２４を機器ケース２の釦孔２４に挿入するだけで、釦部２４を釦孔４の正確な位置に配置することができる。これにより、釦部２４の中心と釦孔４の中心とを一致させることができると共に、釦部２４の外周縁と釦孔４の内周縁との左右の隙間を均一な状態にすることができる。この場合、隣接するキー釦２０同士が連続して形成されていても、各キー釦２０の各釦部２４の位置ずれを確実に防ぐことができる。
【００３１】
また、このキー釦２０では、回路基板７を取付部２３に押し付けて取付部２３を機器ケース２の取付溝部２１に取り付けるときに、これと同時に取付部２３の平坦部２７の下面に形成された位置決め突起３４が回路基板７に形成された嵌合孔３５に挿入することにより、回路基板７がキー釦２０に対して位置決めされるので、キー釦２０を機器ケース２および回路基板７に対する正確な位置に組み付けることができ、これと同時にキー釦２３の押圧部２６を回路基板７のスイッチ部８に対して位置ずれすることなく正確に対応させることができる。さらに、取付部２３に形成された補強リブ３６によって取付部２３の強度を高めることができるので、取付部２３の破損を防ぐと共に、取付部２３を機器ケース２の取付溝部２１に強固に取り付けることができる。
【００３２】
このように組み込まれたキー釦２０によれば、機器ケース２の釦孔４から外部に突出した釦部２４の上端部分が機器ケース２の外部から押圧されると、このキー操作に伴って連結部２５が弾性変形して釦部２４を下方に変位させると共に、この釦部２４の下面に設けられた押圧部２６が回路基板７のスイッチ部８を押圧するので、スイッチ部８をオンさせてスイッチ信号を出力させることができ、また釦部２４から外力が取り除かれると、連結部２５が弾性復帰し、釦部２４が上方に変位すると共に、押圧部２６がスイッチ部８から上方に離れるので、スイッチ部８をオフにさせて、釦部２４の上端部分が機器ケース２の釦孔４から外部に突出して釦部２４が元の位置（初期位置）に戻る。
【００３３】
この場合、釦部２４の押圧操作に伴って連結部２５の２つの弾性片３２が釦孔４の出没方向（図１では上下方向）に弾性変形するときには、並列に形成された２つの弾性片３２によって連結部２５全体の捩じれを抑制することができ、これにより釦部２４のキー操作時における釦部２４の傾きを防ぐことができると共に、押圧部２６の傾きをも防ぐことができ、このため押圧部２６でスイッチ部８を良好に押圧することができる。また、釦部２４が押されて押圧部２６がスイッチ部８を押圧するときに、釦部２４が強い力で押圧されても、釦部２４に設けられたストッパ部３３が回路基板７に当接して回路基板７に対する押圧部２６の接近位置を規制するので、押圧部２６がスイッチ部８を必要以上の強い力で押圧することがなく、しかも連結部２５にも必要以上の強い応力が加わらないため、スイッチ部８および連結部２５の破損を防ぎ、耐久性の向上をも図ることができる。
【００３４】
なお、上記実施形態では、キー釦２０の釦部２４を長方形状のほぼ直方体に形成し、且つ機器ケース２の釦孔４を長方形状に形成した場合について述べたが、これに限らず、釦部２４を正方形状のほぼ立方体に形成し、且つ機器ケース２の釦孔４を正方形状に形成しても良く、また釦部２４を円柱状に形成し、且つ機器ケース２の釦孔４を円形状に形成しても良い。
また、上記実施形態では、釦部２４の外周面の左右両側にガイド部３１を設けたが、これに限らず、釦部２４の外周面の全周に亘ってガイド部３１を設けても良い。このように構成すれば、より一層、正確な位置に釦部２４をガイドすることができる。
【００３５】
さらに、上記実施形態では、補強リブ３６を連結部２５の２つの弾性片３２間に位置する取付部２３の傾斜面側の壁部２１ａの外面に設けたが、これに限らず、垂直面側の壁部２１ｂの外面に設けても良く、また壁部２１ａ、２１ｂの両方の外面に設けても良い。
なおまた、上記実施形態では、互い隣接するキー釦２０同士を連続させて形成した場合について述べたが、これに限らず、複数のキー釦２０を単独で形成して、それぞれ機器ケース２内に組み付けるようにしても良い。この場合にも、複数のキー釦２０をそれぞれ機器ケース２の取付溝部２１に対応させた状態で、１つの回路基板７で一度に複数のキー釦２０を同時に組み付けることができるので、組み付け作業の簡素化を図ることができる。
【００３６】
【発明の効果】
以上説明したように、この発明によれば、ケースの釦孔に釦部を挿入すると共に、ケースの取付溝部に取付部の回動支点部を挿入し、この状態で釦部に設けられた押圧部に回路基板のスイッチ部を対応させて回路基板を取付部に押し付けると、取付部がケースと回路基板との間に挟まれると共に、取付溝部に挿入された取付部の回動支点部を中心に取付部が回動し、その取付部の傾きがケースと回路基板とによって規制されてキー釦が自動的に位置調節されるので、回路基板の組み付け時にキー釦をケースに対する所定位置に取り付けることができ、これによりキー釦をケースと回路基板との両方に対する正確な位置に簡単に且つ容易に組み付けることができる。
【００３７】
この場合、釦部の外周面に釦部を釦孔内の所定位置にガイドするガイド部が設けられていることにより、釦部をケースの釦孔に挿入するときに、ガイド部によって釦部をケースの釦孔内の所定位置にガイドして釦部を釦孔の正確な位置に配置することができ、これにより釦部の中心と釦孔の中心とを一致させることができると共に、釦部の外周縁と釦孔の内周縁との隙間を均一な状態にすることができる。また、取付部に回路基板を位置決めする位置決め部が設けられていることにより、回路基板を取付部に押し付けて取付部をケースの取付溝部に取り付けるときに、これと同時に取付部の位置決め部によって回路基板をキー釦に対して位置決めすることができるので、キー釦の押圧部と回路基板のスイッチ部とを正確に対応させることができる。
【００３８】
また、釦部の押圧操作に伴って連結部が釦孔の出没方向に弾性変形するときに、並列に形成された２つの弾性片によって連結部の捩じれが抑制されるので、キー操作時における釦部および押圧部の両者の傾きを防ぐことができ、このため釦部を釦孔に対して円滑に変位させることができると共に、押圧部でスイッチ部を良好に押圧することができる。さらに、釦部には回路基板に対する押圧部の接近位置を規制するストッパ部が設けられていることにより、釦部が押されて押圧部がスイッチ部を押圧するときに、ストッパ部が回路基板に当接するので、押圧部がスイッチ部を必要以上の強い力で押圧したり、連結部に必要以上の強い応力が加わったりしないため、スイッチ部および連結部の破損を防ぎ、耐久性の向上を図ることができる。さらに、取付部に補強リブが設けられていることにより、取付部の強度を高め、取付部が破損せずにケースの取付溝部に強固に取り付けることができる。
【図面の簡単な説明】
【図１】この発明のキー釦を用いたキー入力装置の一実施形態を示した要部の拡大断面図。
【図２】図１の分解斜視図。
【図３】図１のキー釦の平面図。
【図４】図１のＡ−Ａ矢視における断面図。
【図５】従来のキー釦を用いたキー入力装置を示した要部の拡大断面図。
【図６】図５のＢ−Ｂ矢視における断面図。
【符号の説明】
２　機器ケース
４　釦孔
７　回路基板
８　スイッチ部
２０　キー釦
２１　取付溝部
２１ａ、２１ｂ　壁部
２１ｃ　溝
２２　回動支点部
２３　取付部
２４　釦部
２５　連結部
２６　押圧部
２７　平坦部
２８　挿入部
２９　保持部
３１　ガイド部
３２　弾性片
３３　ストッパ部
３４　位置決め突起
３５　嵌合孔
３６　補強リブ
【図１】
2004039324.tif 000003
【図２】
2004039324.tif 000004
【図３】
2004039324.tif 000005
【図４】
2004039324.tif 000006
【図５】
2004039324.tif 000007
【図６】
2004039324.tif 000008